(57)【要約】【課題】  従来のような時間０から現在時点までの各時点の現在デマンドの推移を連続した線グラフとしているが故に瞬時電力のグラフと勘違いして負荷を遮断すると線グラフが下がるといった誤解を招くようなことが無くなり、使用済電力量および使用予定電力量を見誤ることなく正しく認識することができる。【解決手段】  使用電力の積算値である使用済電力量を視覚的面で表示し当該使用済電力量が増加していくと該使用済電力量の増加に応じて前記視覚的面の面積が増えていく使用済電力量のグラフ１７１と、現在から時限終了までの使用予定電力量を前記使用済電力量のグラフに前記使用済電力量のグラフの前記面積が増えていく方向に積み上げて視覚的面で表示する使用予定電力量のグラフ１７２と、前記使用済電力量のグラフの前記面積が増えていく方向の所定位置に表示される契約電力量の表示１７４とを表示する。【選択図】図３
2005143156.tif 000002
【特許請求の範囲】
【請求項１】
使用電力の積算値である使用済電力量を視覚的面で表示し当該使用済電力量が増加していくと該使用済電力量の増加に応じて前記視覚的面の面積が増えていく使用済電力量のグラフと、現在から時限終了までの使用予定電力量を前記使用済電力量のグラフに前記使用済電力量のグラフの前記面積が増えていく方向に積み上げて視覚的面で表示する使用予定電力量のグラフと、前記使用済電力量のグラフの前記面積が増えていく方向の所定位置に表示される契約電力量の表示とを表示するデマンド表示方式。
【請求項２】
使用電力の積算値である使用済電力量を表示し当該使用済電力量が増加していくと該使用済電力量の増加に応じて伸びていく使用済電力量の棒グラフと、現在から時限終了までの使用予定電力量を前記使用済電力量の棒グラフに前記使用済電力量の棒グラフが伸びていく方向に積み上げて表示する使用予定電力量の棒グラフと、前記使用済電力量の棒グラフが伸びていく方向の所定位置に表示される契約電力量の表示とを表示するデマンド表示方式。
【請求項３】
請求項１及び請求項２の何れかに記載のデマンド表示方式において、前記使用済電力量のグラフに経過時間を表示するグラフを並べて表示するともに、前記契約電力量の表示と同じレベルの位置に時限の表示を表示することを特徴とするデマンド表示方式。
【請求項４】
請求項１〜請求項３の何れか一に記載のデマンド表示方式において、前記使用予定電力量のグラフの中に、現在使用している特定の負荷を時限終了まで使用したときの前記特定の負荷の使用予定電力量に相当する量を表示するデマンド表示方式。
【請求項５】
請求項３に記載のデマンド表示方式において、経過時間のグラフよりも前記使用済電力量のグラフの長さが長くなれば、警報を発生することを特徴とするデマンド表示方式。
【請求項６】
請求項４において、次に遮断される特定の負荷に相当する表示部分を点滅させるデマンド表示方式。
【請求項７】
請求項２〜請求項６の何れか一に記載のデマンド表示方式において、前記グラフが伸びる方向と直角を成す方向の幅が時間の経過とともに広がることを特徴とするデマンド表示方式。
【請求項８】
使用電力の積算値である使用済電力量を表示し当該使用済電力量が増加していくと該使用済電力量の増加に応じて周方向に伸びていく使用済電力量の円グラフと、現在から時限終了までの使用予定電力量を前記使用済電力量の円グラフに前記使用済電力量の円グラフが伸びていく方向に積み上げて表示する使用予定電力量の円グラフと、前記使用済電力量の円グラフが伸びていく方向の所定位置に表示される契約電力量の表示とを表示するデマンド表示方式。
【請求項９】
請求項８に記載のデマンド表示方式において、経過時間を表示する円グラフを前記使用済電力量の円グラフと同心状に表示することを特徴とするデマンド表示方式。
【請求項１０】
請求項８及び請求項９の何れかに記載のデマンド表示方式において、前記使用済電力量の円グラフは０度から時計方向に伸びていき、前記契約電力量の表示は２７０度の位置に表示されることを特徴とするデマンド表示方式。
【発明の詳細な説明】
【技術分野】
【０００１】
この発明は、取引用回路の需要電力（デマンド）を計測監視しデマンドが契約電力を超過しないよう負荷制御信号を出力するデマンド監視制御装置や前記負荷制御信号を出力する機能を持たないデマンド監視装置等の一部を成すデマンド表示部あるいは当該装置とは別に設けられるデマンド表示装置へのデマンド表示方式に関するものである。
【背景技術】
【０００２】
従来のデマンド監視制御装置やデマンド監視装置のデマンド表示部あるいはデマンド表示装置へのデマンド表示方式は、折れ線グラフ等の線グラフを使ったデマンド推移グラフによる表示方式である。即ち、図１０に示すように、縦軸に３０分間における平均使用電力、横軸に時限をとり、時限終了時（図１０における時限１）の契約電力（図１０における契約電力２）と原点とを結んだ基準電力を示した基準直線（図１０では図示省略してある）と、使用電力量に基づく現在デマンドのデマンド曲線の線グラフ（図１０における現在デマンド推移の線グラフ３（図１０では直線の例を示してある））と、現在時点の使用電力量から時限終了時の使用電力量（図１０における予測値５）を予測した予測電力の線グラフ４とをグラフィック表示している。なお、前記現在時点は、現在デマンドの線グラフ３と予測電力の線グラフ４との変極点に相当する時刻である。このような従来のデマンド表示方式の事例としては、例えば以下の特許文献１（特開平８−６３１３２号公報）に示されている。
【０００３】
【特許文献１】特開平８−６３１３２号公報（図２）
【発明の開示】
【発明が解決しようとする課題】
【０００４】
従来のデマンド監視制御装置やデマンド監視装置においては、デマンドの計量は、通常３０分毎に区切って行われ、この３０分のことを時限と呼び、０分の時を開始、３０分後を終了と呼ぶ。デマンド値とは、この開始から終了までの３０分間における平均使用電力のことであり、単位はｋｗで表される。他方、現在デマンドは時限の開始から終了までの途中の使用電力の積算値（kWh）で時間とともに増加し、減少することはない。しかし、従来のデマンド監視制御装置やデマンド監視装置で用いられている図１０のような折れ線の推移グラフ表示方式では、時間０から現在時点までの各時点の現在デマンドの推移を連続した線グラフで表示してあるため、現在デマンドを瞬時電力と勘違いする人もおり、負荷を遮断するとデマンド値が減少し線グラフが下がるといった誤解を招くというようなグラフの見誤りが生じるという問題点があった。
【０００５】
この発明は、前述のような実情に鑑みてなされたもので、従来のような時間０から現在時点までの各時点の現在デマンドの推移を連続した線グラフとしているが故に瞬時電力のグラフと勘違いして負荷を遮断すると線グラフが下がるといった誤解を招くというようなグラフの見誤りが生じるという問題を解決することを目的とするものである。
【課題を解決するための手段】
【０００６】
この発明に係るデマンド表示方式は、使用電力の積算値である使用済電力量を視覚的面で表示し当該使用済電力量が増加していくと該使用済電力量の増加に応じて前記視覚的面の面積が増えていく使用済電力量のグラフと、現在から時限終了までの使用予定電力量を前記使用済電力量のグラフに前記使用済電力量のグラフの前記面積が増えていく方向に積み上げて視覚的面で表示する使用予定電力量のグラフと、前記使用済電力量のグラフの前記面積が増えていく方向の所定位置に表示される契約電力量の表示とを表示するものである。
【発明の効果】
【０００７】
この発明は、使用電力の積算値である使用済電力量を視覚的面で表示し当該使用済電力量が増加していくと該使用済電力量の増加に応じて前記視覚的面の面積が増えていく使用済電力量のグラフと、現在から時限終了までの使用予定電力量を前記使用済電力量のグラフに前記使用済電力量のグラフの前記面積が増えていく方向に積み上げて視覚的面で表示する使用予定電力量のグラフと、前記使用済電力量のグラフの前記面積が増えていく方向の所定位置に表示される契約電力量の表示とを表示するので、従来のような時間０から現在時点までの各時点の現在デマンドの推移を連続した線グラフとしているが故に瞬時電力のグラフと勘違いして負荷を遮断すると線グラフが下がるといった誤解を招くようなことが無くなり、使用済電力量および使用予定電力量を正しく認識することができる効果がある。
【発明を実施するための最良の形態】
【０００８】
実施の形態１．
以下、この発明の実施の形態１を図１〜図４により説明する。図１はデマンド監視制御装置のブロック図、図２はこの発明のデマンド表示方式の基本的な考え方を説明するための棒グラフ表示の概念図、図３は使用済電力量が経過時間を超えている場合のデマンド表示画面の事例を示す図、図４は使用済電力量が経過時間を超えていない場合のデマンド表示画面の事例を示す図である。なお、図２〜図４において、同一または相当部分には同一符合を付してある。
【０００９】
デマンド監視制御装置は、取引用回路の需要電力（デマンド）を計測監視し、デマンドが契約電力を超過しないよう負荷制御信号を出力する装置である。図１に示すように、前述のデマンド監視制御装置７は、パルス入力回路部７１、時限信号部７２、電力量測定部７３、予測デマンド演算部７４、設定値記憶部７５、警報部７６、グラフ表示演算部７７、表示部７８、負荷制御部７９などから構成されている。
【００１０】
前記パルス入力回路部７１には、電力使用量を計測する取引用の電力量計６から電力使用量に比例したパルスが入力される。
【００１１】
前記時限信号部７２は、図示しない時計回路から時刻信号を入力し時限信号を発生する。
【００１２】
前記電力量測定部７３は、負荷８１，８２，・・・８ｎで使用される電力量を測定する。
【００１３】
前記予測デマンド演算部７４は、前記電力量測定部７３により測定された前記負荷８１，８２，・・・８ｎの使用予定電力量と時間経過演算とによって、デマンド時限終了時の使用予定電力量を演算する。
【００１４】
前記設定値記憶部７５は、電力使用状況に合わせて設定する目標デマンド、前記各負荷８１，８２，・・・８ｎの電力容量、前記各負荷８１，８２，・・・８ｎの負荷制御順位を記憶する。
【００１５】
前記警報部７６は、使用済電力量（図２〜図４における使用済電力量の棒グラフ１７１を参照）と使用予定電力量（図２〜図４における使用予定電力量の棒グラフ１７２を参照）との合計である予測値（図２〜図４における予測値の表示１７３を参照）が契約電力量（図２〜図４における契約電力量の表示１７４を参照）を超えたときなどに警報等を発する。
【００１６】
前記グラフ表示演算部７７は、図２〜図４の各棒グラフを表示するための演算を行う。
【００１７】
前記表示部７８は、前記使用済電力量（図２〜図４における使用済電力量の棒グラフ１７１を参照）、経過時間（図２〜図４における経過時間の棒グラフ１７５を参照）などを画面に表示する。
【００１８】
前記負荷制御部７９は、前記予測値（図２〜図４における予測値の表示１７３を参照）が前記契約電力量（図２〜図４における契約電力量の表示１７４を参照）を超えたときなどに、前記負荷８１，８２，・・・８ｎを、前記設定値記憶部７５に格納されている負荷制御順位に従って遮断する。
【００１９】
ここで、デマンド（需要電力）の計量は、３０分毎に区切って行われ、この３０分のことを「時限」と呼び、０分の時を「開始」、３０分後を「終了」と呼ぶ。この終了時の時限を、図３及び図４では時限の表示１７６として表している。取引用電力量計６から送られて来るパルスを時限開始から終了まで数え、終了時での値がデマンド値であり、３０分間における平均使用電力を表す。他方、前記使用済電力量（図２〜図４における使用済電力量の棒グラフ１７１を参照）は時限の開始から終了までの途中の使用電力の積算値のことである。
【００２０】
次に、この発明のデマンド表示方式の基本的な考え方を、図２に示す棒グラフ表示の概念図で説明する。
【００２１】
図２において、縦軸は、電力量を表し、この縦軸上に契約電力量の表示１７４（図２では実線で示した直線を例示してある）を表示させ、この表示１７４に対応して「契約電力量」の文字表示１７７もしてある。ここで、契約電力量とは、電気の基本料金を決めるために電力会社と取り決めた契約デマンドを、３０分間の使用電力量に置き換えた値と定義する。
【００２２】
使用した電力量（即ち、使用済電力量）は使用した電力の時限開始から現在までの積算値である。この使用した電力の積算値である使用済電力量を、図２に示すように、視覚的面での表示方式である棒グラフ１７１で表示する。具体的には、前記電力量測定部７３（図１参照）で測定された使用済電力量に応じた前記棒グラフ１７１の高さを前記グラフ表示演算部７７で演算し、当該演算された高さと所定の一定幅を持つ前記棒グラフ１７１（図２参照）が前記表示部７８（図１参照）の画面上に表示される。
【００２３】
この使用済電力量は、前記負荷８１，８２，・・・８ｎ（図１参照）の何れかが使用状態であれば、時間の経過と共に増加し、その棒グラフ１７１の高さは高くなっていく。換言すれば、時間の経過と共に前記使用済電力量が増加していくと前記棒グラフ１７１の面積は高さ方向に増えていく。
【００２４】
前記負荷８１，８２，・・・８ｎ（図１参照）が時限の途中で前記負荷制御部７９（図１参照）により選択遮断された場合、前記使用済電力量は、時限開始から現在まで使用した電力の積算値であるので減少することはなく、従って、その棒グラフ１７１の高さは、低くなることはなく、前記負荷８１，８２，・・・８ｎ（図１参照）の何れかが使用されている限り高くなっていく。
【００２５】
換言すれば、前記使用済電力量の棒グラフ１７１の面積は、前記負荷８１，８２，・・・８ｎ（図１参照）が時限の途中で前記負荷制御部７９（図１参照）により選択遮断されても減少することはなく、前記負荷８１，８２，・・・８ｎ（図１参照）の何れかが使用されている限り広くなっていく。面積が広くなっていく場合、当該棒グラフ１７１の幅（グラフを形成する一対の対辺の長さ）が所定の一定幅に固定されているので、当該棒グラフ１７１の面積は、その高さ方向（グラフを形成する他の辺の延在方向）に増えていく。
【００２６】
なお、前記「視覚的面」とは、視覚的に「線」と認識される線グラフとは異なり、棒グラフや円グラフ等のように幅と長さを持ち視覚的に「面」と認識されることを意味する。
【００２７】
前述のようにして表示される使用済電力量の棒グラフ１７１の上（即ち、前記棒グラフ１７１の面積が増えていく方向）に、前記予測デマンド演算部７４（図１参照）で演算された使用予定電力量の棒グラフ１７２を積み上げて表示する。
【００２８】
この使用予定電力量は、前記負荷８１，８２，・・・８ｎ（図１参照）が前記負荷制御部７９（図１参照）により途中で制御されることなく一定であれば、変化せずに一定のままであるので、そのその棒グラフ１７２の高さは、一定のままである。
【００２９】
前記負荷８１，８２，・・・８ｎ（図１参照）が時限の途中で前記負荷制御部７９（図１参照）により選択遮断された場合、前記使用予定電力量は、その後は遮断された負荷の大きさに見合う分だけ減少するので、その棒グラフ１７２の高さは、遮断された負荷の大きさに見合う分だけ低くなる。逆に、途中で負荷が追加投入された場合は、使用予定電力量の棒グラフ１７２の高さは、投入された負荷の大きさに見合う分だけ高くなる。
【００３０】
換言すれば、前記使用予定電力量の棒グラフ１７２の面積は、前記負荷８１，８２，・・・８ｎ（図１参照）が時限の途中で前記負荷制御部７９（図１参照）により選択遮断された場合、当該棒グラフ１７２の幅（グラフを形成する一対の対辺の長さ）が所定の一定幅に固定されているので、当該棒グラフ１７２の面積は、その高さ方向（グラフを形成する他の辺の延在方向）に当該遮断された負荷の大きさに見合う分だけ減少する。逆に、途中で負荷が追加投入された場合は、使用予定電力量の棒グラフ１７２の面積は、その高さ方向（グラフを形成する他の辺の延在方向）に当該投入された負荷の大きさに見合う分だけ増える。
【００３１】
なお、前記予測デマンド演算部７４で演算された使用予定電力量に応じた前記棒グラフ１７２の高さは、前記グラフ表示演算部７７で演算する。
【００３２】
前記使用済電力量の棒グラフ１７１と前記使用予定電力量の棒グラフ１７２との合計の高さが、デマンド時限終了時の予測値となる。即ち、この予定値は、現在の負荷がデマンド時限終了まで続いた場合のデマンド時限終了時における使用済電力量の予測値であり、予測値の表示（図２では破線を例示してある）１７３で表示される。
【００３３】
前述のように、時限開始から現在までの電力使用量の積算値（即ち使用済電力の総和、つまり使用済電力量）を、視覚的に面と認識する棒グラフ１７１で表示し、その棒グラフ１７１に該棒グラフ１７１が伸びる方向に積み上げて使用予定電力量の棒グラフ１７２を表示するので、前記使用済電力量および前記予測値とを分かり易く表示することができ、従来のような時間０から現在時点までの各時点の現在デマンドの推移を連続した線グラフとしているが故に瞬時電力のグラフと勘違いして負荷を遮断すると線グラフが下がるといった誤解を招くようなことが無くなり、使用済電力量、使用予定電力量、および予測値を見誤ることなく正しく認識することができる。また、前記使用済電力量を棒グラフ１７１として表示するため、時限の途中で負荷８１，８２，・・・８ｎを負荷制御部７９（図１参照）により選択遮断しても、棒グラフ１７１で表示された使用済電力量が減少するといった誤解を招きにくくすることができる。
【００３４】
なお、表示を分かり易くする意味では、前記使用済電力量の棒グラフ１７１と前記使用予定電力量の棒グラフ１７２とを異なる色にして色で識別できるようにしたり、両グラフ１７１，１７２の塗り潰しのパタ−ン（例えばハッチング）を変えたりするとよい。図２の事例では、図示のように、前記使用済電力量の棒グラフ１７１は黒で塗り潰し、前記使用予定電力量の棒グラフ１７２は白抜きとしてある。
【００３５】
また、表示を分かり易くする意味で、図２に示すように、前記使用済電力量の棒グラフ１７１および前記使用予定電力量の棒グラフ１７２の種別の表示１７８，１７９、「電力量」の文字表示１７１０、「時間」の文字表示１７１１、「時限」の文字表示１７１２、を前記表示部７８（図１参照）の表示画面上に表示するとよい。
【００３６】
図２によってこの発明のデマンド表示方式の基本的な考え方を説明したが、具体的な実施の形態は、図３および図４のようになる。なお、図３および図４において、図２と同一または相当部分には同一符号を付してある。また、図３および図４による以下の説明においては、図２と同一または相当部分の説明は割愛し、主として図２と異なる点について説明する。
【００３７】
図３は使用済電力量が経過時間を超えている場合のデマンド表示画面の事例を示す図、図４は使用済電力量が経過時間を超えていない場合のデマンド表示画面の事例を示す図で、これら図３及び図４において、縦軸に電力量の表示１７１０と時間の表示１７１１とを表示し、契約電力量の表示１７４と時限の表示１７６とを同じレベルの位置に表示する。
【００３８】
更に、前記使用済電力量の棒グラフ１７１および前記使用予定電力量の棒グラフ１７２以外に、時間の経過と共に前記使用済電力量の棒グラフ１７１が伸びる方向と同じ方向に伸びる経過時間の棒グラフ１７５を、前記使用済電力量の棒グラフ１７１の横に所定間隔を隔てて並べて表示させる。なお、前記使用済電力量の棒グラフ１７１の開始点と前記経過時間の棒グラフ１７５の開始点とは、図３及び図４に図示のように、両グラフ１７１，１７２の伸びる方向の同一レベルとしてある。
【００３９】
前述のように、時間の経過と共に前記使用済電力量の棒グラフ１７１が伸びる方向と同じ方向に伸びる経過時間の棒グラフ１７５を、前記使用済電力量の棒グラフ１７１の横に所定間隔を隔てて並べて表示させ、使用済電力量の棒グラフ１７１および前記経過時間の棒グラフ１７５の各開始点を、両グラフ１７１，１７２の伸びる方向の同一レベルとしてあるので、現時点での電力使用量が使い過ぎなのかどうかを、一目で判断することができる。
【００４０】
例えば、図４では、前記使用済電力量の棒グラフ１７１の長さが、前記経過時間の棒グラフ１７５の長さを超えているため過負荷と認識でき、図５では、前記使用済電力量の棒グラフ１７１の長さが、前記経過時間の棒グラフ１７５の長さを超えていないため、まだ負荷を投入可能であると認識することができる。
【００４１】
なお、図４のように時限終了時（表示１７６で示される時限）の予測値１７３が契約電力量１７４を超える状態になったときは前記使用済電力量の棒グラフ１７１を、例えば点滅表示させることにより、過負荷であるという警報状態を一目で認識できる。
【００４２】
また、図３及び図４に図示のように、経過時間を示す経過時間表示線１７１３を、前記経過時間の棒グラフ１７５の先端から前記使用済電力量の棒グラフ１７１に跨って表示することにより、前記使用済電力量の棒グラフ１７１の長さが、前記経過時間の棒グラフ１７５の長さを超えているか否かが分かり易く、前記使用済電力量の棒グラフ１７１の長さが、前記経過時間の棒グラフ１７５の長さを超えているか否かの判断を正確に行える。
【００４３】
また、表示を分かり易くする意味で、図３および図４では、図２に示した使用済電力量の棒グラフ１７１および使用予定電力量の棒グラフ１７２の種別の表示１７８，１７９、「電力量」の文字表示１７１０、「時間」の文字表示１７１１、および「時限」の文字表示１７１２に加え、図示のように、前記経過時間の棒グラフ１７５、経過時間の表示１７１３、および予測値の表示１７３、の種別の表示１７１４，１７１５，１７１６を一事例として表示してある。
【００４４】
実施の形態２．
以下、この発明の実施の形態２を図５により説明する。図５は使用予定電力量のグラフの中に、現在使用している特定の負荷の使用予定電力量に相当する量を表示する場合のデマンド表示画面の事例を示す図で、前述の図２〜図４と同一または相当部分には同一符号を付してある。また、図５による以下の説明においては、図２〜図４と同一または相当部分の説明は割愛し、主として図２と異なる点について説明する。
【００４５】
図５では、例えば図４における使用予定電力量１７２の中に現在使用している負荷を時限終了まで使用した時の、個別の使用予定電力に相当する量を表示させる。即ち、図５のように、遮断予定の特定の負荷（図５では、遮断予定の特定の負荷として負荷１７２ａ、負荷１７２ｂのみを使用しそれらを全て表示する例を示しているが、少なくとも１以上の遮断予定の負荷を表示させても良い）を表示させることで、負荷を遮断した場合に時限終了時（表示１７６で示される時限）の予測値１７３がどのようになるかを、より一目で認識することができる。
【００４６】
なお、図５において、次に遮断される負荷（例えば１７２ａ）を点滅させることによって、時限終了時（表示１７６で示される時限）までにどの負荷が遮断制御されるかを容易に認識できる。
【００４７】
また、表示を分かり易くする意味で、図５における前記特定の負荷１７２ａ，１７２ｂの夫々の種別の表示１７９ａ，１７９ｂを異なるパタ−ン（図５はハッチングの傾斜方向を変えてある事例である）で表示するとよい。
【００４８】
実施の形態３．
以下、この発明の実施の形態３を図６により説明する。図６は使用済電力量、使用予定電力量、経過時限などを円グラフで示すデマンド表示画面の事例を示す図である。なお、図６において、図２〜図５と同一または相当部分には同一符号を付してある。また、図６による以下の説明においては、図２〜図５と同一または相当部分の説明は割愛し、主として図２〜図５と異なる点について説明する。
【００４９】
前述の実施の形態１および２では使用済電力量、使用予定電力量、経過時限などを表示するグラフを棒グラフにて構成していたが、実施の形態３では当該グラフを図６に示すように円グラフで示す一例を示す。
【００５０】
図６において、前記使用済電力量は、外側の円グラフ１７１で表示され、前記負荷８１，８２，・・・８ｎの何れかが使用されておれば、時間の経過に伴い周方向に時計回りに伸びていく。換言すれば、視覚的面で表示されている前記使用済電力量の円グラフ１７１は、前記負荷８１，８２，・・・８ｎの何れかが使用されておれば、時間の経過に伴いその面積が周方向に時計回りに増えていく。
【００５１】
前記使用予定電力量のグラフ１７２は、前記使用済電力量の円グラフ１７１に周方向（即ち、前記円グラフ１７１の面積が増えていく方向）に積み上げて円グラフで表示され、その時計回りの先端に前記予測値の表示１７３が表示される。また、前記円グラフ１７１の伸びる方向の前方の所定位置に、前記契約電力量の表示１７４および「契約電力量」の文字表示１７７が表示されている。
【００５２】
前記経過時間は、前記外側の円グラフ１７１，１７２と同心の内側の円グラフ１７５で表示されている。
【００５３】
前記使用済電力量の円グラフ１７１および前記経過時間の円グラフ１７５の開始点は何れも０度であり、前記契約電力量の表示１７４および時限の表示１７６は共に２７０度の位置に表示されている。
図６に示す事例によれば、前述の実施の形態１と同様の作用効果に加えて、円グラフ表示とすることにより、表示面積を大きくとれ視覚的に分かりやすい。また、９０度（右の位置）で１０分、１８０度（下の位置）で２０分、２７０度（左の位置）で３０分となり、現在時限が視覚的に分かりやすく、かつ、例えば３６０度位置に契約電力量の表示１７４および時限の表示１７６を表示させる場合に比較し、予測値１７３が３６０度を超えて、即ち、使用済電力量の円グラフ１７１にラップして表示されることが極めて少なくなり、視覚的に分かりやすい。
【００５４】
但し、契約電力量の表示１７４および時限の表示１７６を３６０度の位置に表示してもよく、この場合には、丁度１周で時限が終了するので、視覚的に分かりやすい。
【００５５】
実施の形態４．
以下、この発明の実施の形態４を図７および図８により説明する。図７は過負荷状態の場合のデマンド表示画面の事例を示す図、図８は負荷が追加投入可能な状態の場合のデマンド表示画面の事例を示す図である。なお、図７および図８において、図２〜図６と同一または相当部分には同一符号を付してある。また、図７および図８による以下の説明においては、図２〜図６と同一または相当部分の説明は割愛し、主として図２〜図６と異なる点について説明する。
【００５６】
図７および図８は、前述の実施の形態１における使用済電力量の棒グラフ１７１の横巾を経過時間とすることによって、経過時間および残り時間（即ち、時限−経過時間）をより明確に認識できるようにした事例である。
【００５７】
図７および図８において、縦軸を電力量、横軸を時間とし、０から契約電力量１７４までの画面上の長さと、０から時限１７６までの画面上の長さとを同じ長さとしてある。前記使用済電力量の棒グラフ１７１の横巾Ｔ１を経過時間としてあるので、時間の経過に伴って前記使用済電力量の棒グラフ１７１の横巾Ｔ１は広くなっていく。また、前記使用済電力量の棒グラフ１７１の高さは、前述の図２〜図５と同様に使用電力量（使用電力の積算値）の増加に伴って高くなっていく。
【００５８】
前記使用済電力量の棒グラフ１７１の右端から時限１７６までの幅Ｔ２は残り時間（即ち、時限−経過時間）となり、図示のように「残時間」の文字表示１７１７が表示される。前記経過時間も図示のように「経過時間」の文字表示１７１８が表示される。
【００５９】
図７および図８においては、前述のように０から契約電力量１７４までの画面上の長さと、０から時限１７６までの画面上の長さとを同じ長さとしてあるので、画面上で、前記使用済電力量の棒グラフ１７１の幅と高さとが同じであれば、その時の負荷を制御せずにそのまま時限終了まで継続すれば、時限終了時には丁度契約電力量分だけ使用することになる。従って、図８では、前記使用済電力量の棒グラフ１７１が縦長の長方形となっているため過負荷状態であることが一目にして分かり、図９では、前記使用済電力量の棒グラフ１７１が横長の長方形となっているため、負荷がまだ投入可能な状態であることが一目にして分かる。
【００６０】
実施の形態５．
以下、この発明の実施の形態５を図９により説明する。図９は使用予定電力量のグラフの中に、現在使用している特定の負荷の使用予定電力量に相当する量を表示する場合のデマンド表示画面の事例を示す図で、前述の図２〜図８と同一または相当部分には同一符号を付してある。また、図５による以下の説明においては、図２〜図８と同一または相当部分の説明は割愛し、主として図２〜図８と異なる点について説明する。
【００６１】
図９では、図３における使用済電力量の棒グラフ１７１と、使用予定電力量の棒グラフ１７２とを、図９に示すように左右に若干ずらした事例を示してあり、このように前記使用済電力量の棒グラフ１７１に、前記使用予定電力量の棒グラフ１７２を、前記使用済電力量の棒グラフ１７１が伸びる方向と直角を成す方向に若干ずらして積み上げても、図２と同等の作用効果を呈する。
【００６２】
なお、前述のこの発明の実施の形態１〜５は、デマンド監視制御装置に利用する場合について述べたが、その他にデマンド表示装置にも利用できることはいうまでもない。
【図面の簡単な説明】
【００６３】
【図１】この発明の実施の形態１を示す図で、デマンド監視制御装置のブロック図である。
【図２】この発明の実施の形態１を示す図で、この発明のデマンド表示方式の基本的な考え方を説明するための棒グラフ表示の概念図である。
【図３】この発明の実施の形態１を示す図で、使用済電力量が経過時間を超えている場合のデマンド表示画面の事例を示す図である。
【図４】この発明の実施の形態１を示す図で、使用済電力量が経過時間を超えていない場合のデマンド表示画面の事例を示す図である。
【図５】この発明の実施の形態２を示す図で、使用予定電力量のグラフの中に、現在使用している特定の負荷の使用予定電力量に相当する量を表示する場合のデマンド表示画面の事例を示す図である。
【図６】この発明の実施の形態３を示す図で、使用済電力量、使用予定電力量、経過時限などを円グラフで示すデマンド表示画面の事例を示す図である。
【図７】この発明の実施の形態４を示す図で、過負荷状態の場合のデマンド表示画面の事例を示すである。
【図８】この発明の実施の形態４を示す図で、負荷が追加投入可能な状態の場合のデマンド表示画面の事例を示す図である。
【図９】この発明の実施の形態５を示す図で、使用済電力量の棒グラフと、使用予定電力量の棒グラフとを、左右に若干ずらした事例を示す図である。
【図１０】従来のデマンド表示装置の推移グラフを示す図である。
【符号の説明】
【００６４】
１７１    使用済電力量のグラフ、
１７２    使用予定電力量のグラフ、
１７４    契約電力量の表示、
１７５    経過時間のグラフ、
１７６    時限の表示。
【図１】
2005143156.tif 000003
【図２】
2005143156.tif 000004
【図３】
2005143156.tif 000005
【図４】
2005143156.tif 000006
【図５】
2005143156.tif 000007
【図６】
2005143156.tif 000008
【図７】
2005143156.tif 000009
【図８】
2005143156.tif 000010
【図９】
2005143156.tif 000011
【図１０】
2005143156.tif 000012